【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
文書画像内の複数の文字画像に対して文字認識処理を行うことにより、それぞれの文字画像に対応する文字コードを得る文字認識手段と、
前記文書画像と、前記文字認識手段で得た複数の文字コードと、異なる文字コードの描画において共通で利用する字形データとを格納した電子文書を生成する生成手段と、
を有する画像処理装置であって、
前記異なる文字コードの描画において共通で利用する字形データとして、複数種類の字形データが前記電子文書に格納され、
前記電子文書に格納されている前記文書画像と前記文字コードとが描画される際に、当該電子文書に格納されている前記複数種類の字形データの中から前記文字コードの描画に用いる字形データが選択されることを特徴とする画像処理装置。
【請求項２】
前記電子文書に格納されている前記文書画像と前記文字コードとが描画される際、前記文字コードの描画に用いる字形データは、ユーザの指示或いは描画に用いるアプリケーションによって、前記電子文書に格納されている複数種類の字形データの中から選択された字形データであることを特徴とする請求項１に記載の画像処理装置。
【請求項３】
前記電子文書に格納される複数種類の字形データのうちの１つは、矩形の形状を有する字形データであることを特徴とする請求項１に記載の画像処理装置。
【請求項４】
前記電子文書に格納される複数種類の字形データのうちの１つは、下線の形状を有する字形データであることを特徴とする請求項１に記載の画像処理装置。
【請求項５】
前記電子文書に格納される複数種類の字形データのうちの１つは、波線、点線、三角、丸、四角形の形状のうちの少なくともいずれかの形状を有する字形データであることを特徴とする請求項１に記載の画像処理装置。
【請求項６】
前記生成手段は、前記電子文書に格納されている前記文書画像と前記文字コードとの描画の際に用いるアプリケーションが、前記格納されている複数種類の字形データの中から描画に用いる字形データを選択する際に用いる判断基準となる属性データを、前記電子文書に格納することを特徴とする請求項１に記載の画像処理装置。
【請求項７】
前記生成手段で生成された電子文書には、前記複数の文字コードに対応させた字形データを、前記文書画像内の各文字画像の位置に対応する位置に透明色で描画させるための記述が含まれることを特徴とする請求項１に記載の画像処理装置。
【請求項８】
前記電子文書は、ＸＭＬフォーマット或いはＸＰＳフォーマットで記述された電子文書であることを特徴とする請求項１に記載の画像処理装置。
【請求項９】
前記画像処理装置は、前記文書画像を圧縮する圧縮手段を更に有し、
前記電子文書に格納される文書画像は、前記圧縮手段で圧縮処理が施された文書画像であることを特徴とする請求項１に記載の画像処理装置。
【請求項１０】
前記圧縮手段は、前記文書画像内に含まれる領域を解析して適応的に圧縮することを特徴とする請求項９に記載の画像処理装置。
【請求項１１】
前記生成された電子文書に対して、入力されたキーワードで検索し、当該キーワードに一致する部分を前記複数種類の字形データのいずれかを用いて強調表示させる検索手段を、更に有することを特徴とする請求項１乃至１０のいずれかに記載の画像処理装置。
【請求項１２】
文書画像と、前記文書画像を文字認識処理して得た複数の文字コードと、異なる文字コードの描画において共通で利用する字形データとを格納した電子文書であって、該電子文書に格納される前記異なる文字コードの描画において共通で利用する字形データとして、複数種類の字形データが格納されている電子文書について、入力されたキーワードで検索する検索手段と、
前記電子文書に格納されている字形データのうち、描画する際に利用する字形データの切換指示をユーザから受け付ける切換手段と、
前記切換手段で切り換えられた字形データを用いて、前記検索手段で検索した結果の当該キーワードに一致する部分を強調表示する電子文書表示手段と、
を有することを特徴とする画像処理装置。
【請求項１３】
文書画像と、前記文書画像を文字認識処理して得た複数の文字コードと、異なる文字コードの描画において共通で利用する字形データとを格納した電子文書であって、該電子文書に格納される前記異なる文字コードの描画において共通で利用する字形データとして、複数種類の字形データが格納され、且つ描画時に用いる字形データを選択する際の判断基準として用いる属性データが格納されている電子文書について、入力されたキーワードで検索する検索手段と、
前記判断基準として用いる属性データに基づいて前記電子文書に格納されている複数種類の字形データの中から選択された字形データを用いて、前記検索手段で検索した結果の当該キーワードに一致する部分を強調表示する電子文書表示手段と、
を有することを特徴とする画像処理装置。
【請求項１４】
文字認識手段が、文書画像内の複数の文字画像に対して文字認識処理を行うことにより、それぞれの文字画像に対応する文字コードを得る文字認識ステップと、
生成手段が、前記文書画像と、前記文字認識手段で得た複数の文字コードと、異なる文字コードの描画において共通で利用する字形データとを格納した電子文書を生成する生成ステップと、を有する画像処理方法であって、
前記異なる文字コードの描画において共通で利用する字形データとして、複数種類の字形データが前記電子文書に格納され、
前記電子文書に格納されている前記文書画像と前記文字コードとが描画されるときに、当該電子文書に格納されている複数種類の字形データの中から前記文字コードの描画に用いる字形データが選択されることを特徴とする画像処理方法。
【請求項１５】
検索手段が、文書画像と、前記文書画像を文字認識処理して得た複数の文字コードと、異なる文字コードの描画において共通で利用する字形データとを格納した電子文書であって、該電子文書に格納される前記異なる文字コードの描画において共通で利用する字形データとして、複数種類の字形データが格納されている電子文書について、入力されたキーワードで検索する検索ステップと、
切換手段が、前記電子文書に格納されている字形データのうち、描画する際に利用する字形データの切換指示をユーザから受け付ける切換ステップと、
電子文書表示手段が、前記切換ステップで切り換えられた字形データを用いて、前記検索ステップで検索した結果の当該キーワードに一致する部分を強調表示する電子文書表示ステップと、
を有することを特徴とする画像処理方法。
【請求項１６】
検索手段が、文書画像と、前記文書画像を文字認識処理して得た複数の文字コードと、異なる文字コードの描画において共通で利用する字形データとを格納した電子文書であって、該電子文書に格納される前記異なる文字コードの描画において共通で利用する字形データとして、複数種類の字形データが格納され、且つ描画時に用いる字形データを選択する際の判断基準として用いる属性データが格納されている電子文書について、入力されたキーワードで検索する検索ステップと、
前記判断基準として用いる属性データに基づいて前記電子文書に格納されている複数種類の字形データの中から選択された字形データを用いて、前記検索ステップで検索した結果の当該キーワードに一致する部分を強調表示する電子文書表示ステップと、
を有することを特徴とする画像処理方法。
【請求項１７】
コンピュータを、請求項１乃至１３のいずれか１項に記載の画像処理装置として機能させるためのプログラム。
【請求項１８】
請求項１７に記載のプログラムを記憶した、コンピュータ読み取り可能な記憶媒体。
【手続補正２】
【補正対象書類名】明細書
【補正対象項目名】００１４
【補正方法】変更
【補正の内容】
【００１４】
上記課題を解決するために本発明の画像処理装置は、文書画像内の複数の文字画像に対して文字認識処理を行うことにより、それぞれの文字画像に対応する文字コードを得る文字認識手段と、前記文書画像と、前記文字認識手段で得た複数の文字コードと、異なる文字コードの描画において共通で利用する字形データとを格納した電子文書を生成する生成手段と、を有する画像処理装置であって、前記異なる文字コードの描画において共通で利用する字形データとして、複数種類の字形データが前記電子文書に格納され、前記電子文書に格納されている前記文書画像と前記文字コードとが描画される際に、当該電子文書に格納されている前記複数種類の字形データの中から前記文字コードの描画に用いる字形データが選択されることを特徴とする。
【手続補正３】
【補正対象書類名】明細書
【補正対象項目名】００１５
【補正方法】削除
【補正の内容】